(57)【要約】【課題】従来の吊り揚げ支承免震装置には絶縁機能減衰機能を向上させるために吊り具と支柱からなる吊り揚げ支承部材の丈を長くすると支柱どうしが接触して機能低下が生じる場合があった。また吊り揚げ支承部材の丈を長くすると設置場所の上下空間、免震対照物周辺に設けるクリアランスの拡大、支持支柱の座屈回避のための支柱の補強などをする必要があった。【解決手段】吊り具と、支柱を天板、底板、梁などにより連結して構築された振り子運動体からなる吊り揚げ支承部材を複層に連結して吊り揚げ支承免震装置としたものである。【選択図】図１
2011127768.tif 000002
【特許請求の範囲】
【請求項１】
地面、床面に立ち上げた基礎の上部に吊り具装着部を取りつけて吊り具を装着し、支柱の上部を天板、梁などにより連結して構築した振り子運動体を吊り具下部に装着する。装着した振り子運動体の上部に吊り具装着部を取りつけて吊り具を装着し、吊り具下部に前記と同じ構造の振り子運動体を次上層となるように装着する。以上のように工程をくり返すことにより吊り具と振り子運動体を複層にした吊り揚げ支承免震装置
【請求項２】
地面、床面に立ち上げた複数の基礎に吊り具を装着するための棒を渡しかけ吊り具を装着し、吊り具下部に支柱の下部を底板、梁により連結された振り子運動体を装着する。装着した振り子運動体の支柱の上部に吊り具を装着するための棒を渡しかけ吊り具を装着し、吊り具下部に前記と同じ支柱の下部を底板、梁により連結された構造の振り子運動体を次上層となるように装着する。以上のように工程をくり返すことにより吊り具と振り子運動体を複層にした吊り揚げ支承免震装置
【請求項３】
請求項１における支柱の上部を天板、梁により連結した振り子運動体と請求項２における支柱の下部を底板、梁により連結した振り子運動体を組み合わせて複層にした吊り揚げ支承免震装置
【請求項４】
地面、床面に上下動する支柱を設置し、免震対照物に設置した電磁石により一体化できるようにした吊り揚げ支承免震装置の風圧対策時に作動する揺れ防止装置
【請求項５】
振り子運動体を複層にした免震装置と振り子運動体が単層の免震装置を複合的に設置し相互の周期の違いにより、振り子運動を干渉しあうことを利用して復元の補助装置とした吊り揚げ支承免震装置
【発明の詳細な説明】
【技術分野】
【０００１】  本発明は、吊り揚げ支承による免震装置に関する。
【背景技術】
【０００２】  従来の免震技術には、非特許文献１に記載されているようなすべり支承、ころがり支承、積層ゴム支承などがある。また、特許文献１に記載されているような吊り揚げ支承によるものもある。【０００３】  以下、図７により従来の吊り揚げ支承による免震装置について説明する。図において基礎１に取りつけた立ち上がり支柱８と免震対照物に取りつけた下がり支柱９のそれぞれの先端に設けて対向させた吊り具装着部１１Ａ１１Ｂに吊り具１０を装着することにより免震対照物５を吊り揚げるようになっている。
【先行技術文献】
【特許文献】
【０００４】
【特許文献１】公開実用新案公報  昭６２−１０８４４８号公報
【非特許文献】
【０００５】
【非特許文献１】「耐震・免震・制震のわかる本」Ｐ、４７〜Ｐ、１４４  著者、清水建設免制震研究会、発行所、彰国社
【発明の概要】
【発明が解決しようとする課題】
【０００６】  以上に述べた従来の吊り揚げ支承による免震装置では絶縁機能、減衰機能を向上させるために吊り具、立ち上がり支柱、下がり支柱からなる吊り揚げ支承部材を長くすると免震装置の作動時に振り子運動体である下がり支柱の吊り具装着部と、対向する立ち上がり支柱とが接触して機能低下が生じる場合があった。【０００７】  また、吊り揚げ支承部材を長くすると振り子運動体の移動域が広がるために免震支承の上下空間および作動空間を大きくとる必要があり、ひいては免震対照物の周囲に設けるクリアランスも大きくとる必要があった。【０００８】  また、吊り揚げ支承部材を長くする場合には、支柱の座屈対策のために支柱の強度を上げる必要があった。【０００９】  本発明は、このような従来の構成が有していた問題を解決しようとするものであり、地震などからの衝撃を効果的に減衰、絶縁し、復元ができる吊り揚げ支承による免震装置を実現することを目的とするものである。
【課題を解決するための手段】
【００１０】  そして、本発明は上記目的を達成するために地面、床面などに立ち上げ基礎を設け、基礎の上部に吊り具を装着するための腕となる部材を取りつけて吊り具を装着し、吊り具下部に支柱、梁天板などにより構築された振り子運動体の支柱を装着する。そしてさらに振り子運動体の上部に吊り具を装着するための腕となる部材を取りつけて吊り具を装着し、吊り具下部に振り子運動体の支柱を装着する。以上の工程を連続することにより振り子運動体を複層にした吊り揚げ支承免震装置とするものである。【００１１】  また、第２の解決手段は、立ち上げ基礎に設けた吊り具装着部に吊り具を取りつけ底板、支柱、梁などにより構築された振り子運動体の底部を装着する。そして、さらに、振り子運動体の上部に次の振り子運動体を取りつけるための吊り具装着部を設け吊り具を装着し振り子運動体を装着する。以上の工程を連続することにより振り子運動体を複層にした吊り揚げ支承免震装置とするものである。【００１２】  また、第３の解決手段は、上記第１と第２の解決手段を組み合わせて振り子運動体を複層にした吊り揚げ支承免震装置とするものである。【００１３】  上記の課題解決手段による作用は次の通りである。すなわち免震対照物支持体でもある振り子運動体を複層にすることにより、地面、床面などから立ち上がり基礎へと伝達される振動が複層の振り子運動体に伝達されると振り子運動体はスネークダンス現象運動をしながら振動力を減衰させることができる。
【発明の効果】
【００１４】  上述したように本発明の吊り揚げ支承免震装置は、複層に連結された振り子運動体のスネークダンス現象運動により振り子運動体の振幅である移動域を狭少にすることができるために振り子運動体の支柱が他の部材と接触して機能低下が生じる危険性をなくすことができる。【００１５】  また、振り子運動体の移動域が狭少であるために免震対照物周辺のクリアランスを狭少にすることができる。【００１６】  また、複層に連結した振り子運動体により支承部の設置空間上下の高低差を拡大させることなく減衰機能、絶縁機能を向上させた免震装置を設置できる。【００１７】  また、複層に連結された振り子運動体により、支柱を長くすることなく減衰機能、絶縁機能を向上させることができるために、支柱の座屈回避のための支柱の補強をする必要がない。【００１８】  また、絶縁性が高いことにより、多数設置した場合でも急激な機能低下が生じない。このことにより加重を分散支持することができるために部品交換などのメンテナンスが容易にできる。
【図面の簡単な説明】
【００１９】
【図１】支柱の上部を天板、梁にて連結した振り子運動体を複層に連結した吊り揚げ支承免震装置の側面図
【図２】同  正面図
【図３】支柱の下部を底板、梁にて連結した振り子運動体を複層に連結した吊り揚げ支承免震装置の側面図
【図４】同  正面図
【図５】支柱の上部を連結した振り子運動体と支柱の下部を連結した振り子運動体を組み合わせて複層に連結した吊り揚げ支承免震装置の側面図
【図６】同  正面図
【図７】従来の吊り揚げ支承免震装置の構造図
【図８】風圧対策のための補足実施例の図
【図９】復元のための補足実施例の図
【発明を実施するための形態】
【００２０】  以下、本発明の実施の形態および動作を図１〜図６に基づいて説明する。
【００２１】  図１、図２において地面、床面に設置した立ち上げ基礎１の上部に吊り具を装着するための装着リングを取りつけて吊り具３Ａを装着し、吊り具下部に支柱の上部を天板、梁などにより連結された振り子運動体２Ａを装着する。さらに振り子運動体２Ａの上部に吊り具を装着するための装着リングを取りつけて吊り具３Ｂを装着し、吊り具下部に上記と同じ構造の振り子運動体２Ｂを装着する。さらに同じ工程をくり返すことにより吊り具３Ｃ、振り子運動体２Ｃを装着して吊り具と振り子運動体を複層にした吊り揚げ支承部材を構築し最上層に免震対照物支持受け部を設けるようにした形態の吊り揚げ支承免震装置である。
【００２２】  以上のようにして設置された吊り揚げ支承免震装置は、地震などによる振動力が伝達されない平時においては、免震対照物の重量が振り子運動体から各吊り具に伝達されることにより、各吊り具を鉛直方向に押し下げようとする力が働くことにより振り子運動体、ひいては免震対照物の均衡を保つことができる。
【００２３】  そして、地震などによる振動力が基礎１に伝達されると基礎１の上部に取りつけた吊り具３Ａに伝達され振り子運動体２Ａへと伝達される。そして振り子運動体２Ａに伝達された振動力は上部に取りつけた吊り具３Ｂへと伝達され次上層の振り子運動体２Ｂへと伝達される。さらに振り子運動体２Ｂの上部に取りつけた吊り具３Ｃに伝達され最上層の振り子運動体２Ｃに伝達される。そして振り子運動体の最上層にて支持受けをする免震対照物に伝達される。以上のように振動力が各振り子運動体に順順に伝達されることによりスネークダンス現象運動をしながら伝達されると同時に上部より常に位置エネルギーが働いていることにより平時の状態に復元させようとする作用が働くほか各部材の摩擦により振動力を減衰させることができる。
【００２４】  図３、図４においては、地面、床面に複数設置した立ち上げ基礎１Ａ１Ｂに吊り具装着棒を渡しかけ吊り具４Ａを装着し、吊り具下部に支柱の下部を底板、梁などにより連結された振り子運動体６Ａを装着する。さらに振り子運動体の支柱の上部に吊り具装着棒を渡しかけ吊り具４Ｂを装着し、吊り具下部に上記と同じ構造の振り子運動体６Ｂを装着する。さらに同じ工程をくり返すことにより吊り具４Ｃ、振り子運動体６Ｃを装着して吊り具と振り子運動体を複層にした吊り揚げ支承部を構築し最上層に免震対照物支持受け部を設けるようにした形態の吊り揚げ支承免震装置である。
【００２５】  以上のようにして設置された吊り揚げ支承免震装置は、図１図２で説明したのと同じような効果、作用を得ることができる。
【００２６】  図５、図６においては振り子運動体の支柱の上部を天板、梁により連結して構築する方法と支柱の下部を底板、梁により連結して構築する方法を組み合わせて振り子運動体を複層にしたものである。
【００２７】  以上の吊り揚げ支承免震装置も図１、図２、図３、図４で説明したものと同じような効果、作用を得ることができる。
【００２８】  上記のように吊り具と振り子運動体を複層にした吊り揚げ支承免震装置は絶縁機能が高いために風圧により免震対照物が揺らされたり、地震が終息しても揺れがすみやかに止まらないという問題があるために補足手段が必要である。
【００２９】  そして風圧対策としては、次のような実施例が考えられる。以下図８をもとに説明する。免震対照物５に取りつけた電磁石１２が上下動できる支柱１３を風圧対策時に引きつけて一体化することにより免震対照物の揺れを防止するようにしたものである。
【００３０】  また、地震などにより揺れてしまった免震対照物をすみやかに復元させる補足手段としては次のような実施例が考えられる。以下図９をもとに説明する。振り子運動体を複層にした吊り揚げ支承免震装置１５と振り子運動体を単層にした吊り揚げ支承免震装置１６を複合的に設置し、周期の異なる運動体どうしが干渉することを利用して復元の補足手段としたものである。
【符号の説明】
【００３１】１、１Ａ、１Ｂ  立ち上げ基礎
２Ａ２Ｂ２Ｃ６Ａ６Ｂ６Ｃ７Ａ７Ｂ７Ｃ  振り子運動体
３Ａ３Ｂ３Ｃ４Ａ４Ｂ４Ｃ  吊り具
５  免震対照物
８  立ち上げ支柱
９  下がり支柱
１０  吊り具
１１Ａ１１Ｂ  吊り具装着部
１２  電磁石
１３、１４  上下動支柱と収納部
１５  振り子運動体が複層の免震装置
１６  振り子運動体が単層の免震装置
【図１】
2011127768.tif 000003
【図２】
2011127768.tif 000004
【図３】
2011127768.tif 000005
【図４】
2011127768.tif 000006
【図５】
2011127768.tif 000007
【図６】
2011127768.tif 000008
【図７】
2011127768.tif 000009
【図８】
2011127768.tif 000010
【図９】
2011127768.tif 000011